(57)【要約】【課題】オペレータによるＩＰアドレスの入力操作負担を軽減することができる通信装置を提供すること。【解決手段】ＩＰアドレスを宛先情報として受付ける受付手段と、受付けたＩＰアドレスに特定の文字「＊」又は「−」が含まれる場合には、当該ＩＰアドレスを前記特定の文字「＊」又は「−」に基づいて決定される複数のＩＰアドレスとみなして同報送信を行う手段と、を備える通信装置１。【選択図】      図２
2005033445.tif 000002
【特許請求の範囲】
【請求項１】
ＩＰアドレスを宛先情報として受付ける受付手段と、受付けたＩＰアドレスに特定の文字が含まれる場合には、当該ＩＰアドレスを前記特定の文字に基づいて決定される複数のＩＰアドレスとみなして同報送信を行う送信手段と、を備えることを特徴とする通信装置。
【請求項２】
前記特定の文字に基づいて決定される複数のＩＰアドレスは、前記受付けたＩＰアドレスにおいて前記特定の文字を所定範囲の数値としたものであることを特徴とする請求項１記載の通信装置。
【請求項３】
前記特定の文字に基づいて決定される複数のＩＰアドレスは、前記受付けたＩＰアドレスにおいて、前記特定の文字及びその前後の数値をこれら前後の数値の範囲にある数値としたものであることを特徴とする請求項１記載の通信装置。
【請求項４】
ＩＰアドレスを宛先情報として受付ける受付手段と、自装置のネットワークアドレスを記憶する記憶手段と、前記受付手段によりホストアドレスのみを受付けた場合には、省略されているネットワークアドレスを自装置１のものと同一であるとみなしてＩＰアドレスを特定し、該ＩＰアドレスの相手先に対して送信を行う送信手段と、を備えることを特徴とする通信装置。
【請求項５】
前記送信手段により同報送信を行って送信に失敗したＩＰアドレスを除外ＩＰアドレスリストに登録する手段を備え、前記送信手段は、前記決定される複数のＩＰアドレスから前記除外ＩＰアドレスリストに登録されたＩＰアドレスを除いたＩＰアドレスに対して同報送信を行うことを特徴とする請求項１乃至３の何れか１に記載の通信装置。
【請求項６】
特殊ＩＰアドレスを記憶する手段と、記憶した前記特殊ＩＰアドレスを送信先から除外する手段と、を備えることを特徴とする請求項１乃至５の何れか１に記載の通信装置。
【請求項７】
送信相手先との間でエラーが発生した時に実行される所定の処理の有効無効を設定する手段を備えることを特徴とする請求項１乃至６の何れか１に記載の通信装置。
【発明の詳細な説明】
【０００１】
【発明の属する技術分野】
本発明は、ＩＰアドレス（Ｉｎｔｅｒｎｅｔ  Ｐｒｏｔｏｃｏｌ  Ａｄｄｒｅｓｓ）により直接通信相手先を指定する機能を備える通信装置に関する。
【０００２】
【従来の技術】
近年、ファクシミリ通信、インターネットファクシミリ通信、ＨＴＴＰ通信など、複数の通信プロトコルにより通信を行うことが可能な複合機型の通信装置が普及している。かかる通信装置により、原稿を相手先へ送信する場合は、オペレータにより相手先の宛先情報であるメールアドレス、ＵＲＬ（Ｕｎｉｆｏｒｍ  Ｒｅｓｏｕｒｃｅ  Ｌｏｃａｔｏｒｓ）、ファクシミリ番号等が指定され、通信装置は指定された宛先情報の記載形式から使用すべき通信プロトコル、ポート番号等を特定して送信処理を行う。
【０００３】
特許文献１に開示されている通信装置のように、短縮番号やワンタッチキーに宛先情報（メールアドレス、ファクシミリ番号）、使用する通信プロトコル、相手先名称等を対応付けてテーブル上に登録しておき、送信操作時に短縮ダイヤル番号等が指定されたときに、その短縮ダイヤル番号等に対応付けられた通信プロトコルによって送信処理を行うものがある。
【０００４】
【特許文献１】
特開平１０−１２６６００号公報
【０００５】
【発明が解決しようとする課題】
ところで、ＴＣＰ／ＩＰを実装した通信装置が通信相手先を指定する場合に必要なＩＰアドレスは、メールアドレス、ＵＲＬ等をＤＮＳ（Ｄｏｍａｉｎ  Ｎａｍｅ  Ｓｙｓｔｅｍ）サーバに提示することで取得されるが、自装置に直接ＩＰアドレスが入力されれば、かかるＤＮＳサーバへの問い合わせ処理を省くことができ、通信処理時間を短縮することが可能となる。
【０００６】
多数の相手先のＩＰアドレスを指定して同報送信する場合には、１件ずつＩＰアドレスをキー操作により入力指定するか、入力操作を簡略化するために予め上記したようなテーブル上で短縮番号等にＩＰアドレスを対応付けて登録しておき、送信操作時に短縮番号により相手先を指定することが考えられる。
【０００７】
ところが、１件ずつＩＰアドレスをキー操作により入力指定する場合は、同報相手先が多く、１０、２０件ともなると、オペレータとって入力操作が大きな負担となる。また、短縮番号等に登録されたＩＰアドレスを利用すれば、簡単に多数の同報相手先のＩＰアドレスを指定することができるものの、短縮番号の登録作業が大変である。
【０００８】
本発明は、かかる課題に鑑みてなされたものであり、オペレータによるＩＰアドレスの入力操作負担を軽減する通信装置を提供することを目的とする。
【０００９】
【課題を解決するための手段】
上記目的を達成するために、請求項１記載の通信装置は、ＩＰアドレスを宛先情報として受付ける受付手段と、受付けたＩＰアドレスに特定の文字が含まれる場合には、当該ＩＰアドレスを前記特定の文字に基づいて決定される複数のＩＰアドレスとみなして同報送信を行う送信手段と、を備えることを特徴としている。
【００１０】
請求項２記載の通信装置は、請求項１記載の通信装置において、前記特定の文字に基づいて決定される複数のＩＰアドレスは、前記受付けたＩＰアドレスにおいて前記特定の文字を所定範囲の数値としたものであることを特徴としている。
【００１１】
請求項３記載の通信装置は、請求項１記載の通信装置において、前記特定の文字に基づいて決定される複数のＩＰアドレスは、前記受付けたＩＰアドレスにおいて、前記特定の文字及びその前後の数値をこれら前後の数値の範囲にある数値としたものであることを特徴としている。
【００１２】
請求項４記載の通信装置は、ＩＰアドレスを宛先情報として受付ける受付手段と、自装置のネットワークアドレスを記憶する記憶手段と、前記受付手段によりホストアドレスのみを受付けた場合には、省略されているネットワークアドレスを自装置１のものと同一であるとみなしてＩＰアドレスを特定し、該ＩＰアドレスの相手先に対して送信を行う送信手段と、を備えることを特徴としている。
【００１３】
請求項５記載の通信装置は、請求項１乃至３の何れか１に記載の通信装置において、前記送信手段により同報送信を行って送信に失敗したＩＰアドレスを除外ＩＰアドレスリストに登録する手段を備え、前記送信手段は、前記決定される複数のＩＰアドレスから前記除外ＩＰアドレスリストに登録されたＩＰアドレスを除いたＩＰアドレスに対して同報送信を行うことを特徴としている。
【００１４】
請求項６記載の通信装置は、請求項１乃至５の何れか１に記載の通信装置において、特殊ＩＰアドレスを記憶する手段と、記憶した前記特殊ＩＰアドレスを送信先から除外する手段と、を備えることを特徴としている。
【００１５】
請求項７記載の通信装置は、請求項１乃至６の何れか１に記載の通信装置において、送信相手先との間でエラーが発生した時に実行される所定の処理の有効無効を設定する手段を備えることを特徴としている。
【００１６】
【発明の実施の形態】
以下本発明の実施の形態に係る通信装置として、ファクシミリ通信機能、インターネットファクシミリ通信機能（メールサーバ機能を有する。）及びＨＴＴＰ通信機能を備えた複合機を例に挙げて説明する。図１に該通信装置の構成例を示す。すなわち、通信装置１は、ＣＰＵ（中央処理装置）２、ＲＡＭ（ランダムアクセスメモリー）３、ＲＯＭ（リードオンリーメモリー）４、コーデック５、モデム６、ＮＣＵ（ネットワークコントロールユニット）７、読取部８、記録部９、表示部１０、操作部１１、及びＬＡＮインターフェース１２を備えたものであって、各部２乃至１２は通信可能にバス１３によって接続されている。
【００１７】
ＣＰＵ２は、ＲＯＭ４に格納されたプログラムに従って、この通信装置１を構成する各部を制御する。ＲＡＭ３は、画データ、後述するチェックメッセージ表示処理等の有効／無効の設定情報、除外ＩＰアドレスリスト２０等を記憶する記憶部として機能する。除外ＩＰアドレスリスト２０には、送信宛先から除外するＩＰアドレスが登録されており、そのＩＰアドレスは、オペレータの操作部からの所定操作によって、又は、後述する通信装置１の送信処理動作によって登録されるようになっている。また、除外ＩＰアドレスリスト２０には、予め、ブロードキャスト、オール「０」（該「０」は二進数表記である。）、オール「１」（該「１」は二進数表記である。）等の一般に通信装置のＩＰアドレスとして登録することができない特殊ＩＰアドレスも登録されており、これらの特殊ＩＰアドレス宛ての無駄な送信処理は行われないようになっている。
【００１８】
ＲＯＭ４は、ＣＰＵ２によりこの通信装置１の各部の動作が制御されるための各種プログラムを記憶している。
【００１９】
コーデック５は、画データを送信のためにＭＨ、ＭＲ、ＭＭＲ方式等により符号化し、受信した画データを復号する。また、電子メール添付ファイル形式として一般的に利用されている画像フォーマットであるＴＩＦＦ（Ｔａｇｇｅｄ    Ｉｍａｇｅ    Ｆｉｌｅ    Ｆｏｒｍａｔ）形式にも対応して符号化、復号する。
【００２０】
モデム６は、例えばＩＴＵ−Ｔ（国際電気通信連合）の勧告Ｖ．３４規格又はこれと同様のものに従った送受信データの変調及び復調を行う。ＮＣＵ７は、電話回線を制御して電話をかけたり切ったりする回線網制御装置でありＰＳＴＮ（公衆交換電話網）１４に接続されている。
【００２１】
読取部８は、原稿の画データを読み取って、白黒２値化した画データを出力する。記録部９は、例えば電子写真方式のものからなり、受信した画データ等を記録紙上に記録する。
【００２２】
表示部１０は、例えば操作部１１に並設されたＬＣＤ（Ｌｉｑｕｉｄ  Ｃｒｙｓｔａｌ  Ｄｉｓｐｌａｙ）からなり、各種の画面情報を表示する。操作部１１は、ファクシミリ番号、メールアドレス、ＩＰアドレス等の宛先情報や機器設定情報等を入力する入力キー、送信開始の命令を行うためのスタートキーなどを具備する。オペレータによる各種操作はこの操作部１１から行われる。
【００２３】
ＬＡＮインターフェース１２は、ＬＡＮ（ローカル・エリア・ネットワーク）１５と通信装置１と通信可能に接続するインターフェースである。ＬＡＮ１５には、クライアントＰＣ１６が設置されており、通信装置１を各種通信のサーバ装置としてクライアントＰＣ１６から各種通信機能を利用することができる。通信装置１は、ＬＡＮ１５に設置されたルータ１８、インターネット等を通じて他の端末装置（不図示）とＴＣＰ／ＩＰを利用した通信を行う。
【００２４】
上記構成を備える通信装置１は、送信操作に際して、メールアドレス、ＵＲＬ又はＩＰアドレスが操作部１１等から入力されると、その入力された情報を送信相手先の宛先情報として受付ける。そして、受付けた情報がＩＰアドレスである場合には、そのＩＰアドレスを解析し、特定の文字「＊」又は「−」が含まれるときに、そのＩＰアドレスを複数のＩＰアドレスとみなして同報送信を行う機能を有する。
【００２５】
具体的には、図２（ａ）に示すように、通信装置１は、受付けたＩＰアドレスに特定の文字「＊」が含まれる場合に、そのＩＰアドレスは、そのＩＰアドレスにおいて特定の文字「＊」を所定範囲の数値、具体的には１乃至２５５とした２５５個のＩＰアドレスとみなす処理を行う。なお、本実施の形態に係る通信装置１おいては、前記所定範囲の数値は１乃至２５５とみなされるように設定されているが、サブネットマスクやユーザの事情等に応じて上記以外の数値範囲に設定されるようにしてもよい。
【００２６】
図２（ｂ）に示すように、通信装置１は、受付けたＩＰアドレスに特定の文字「−」が含まれる場合に、そのＩＰアドレスは、そのＩＰアドレスにおいて、特定の文字「−」及びその前後の数値をこれら前後の数値の範囲にある数値とした、複数のＩＰアドレスとみなす処理を行う。例えば図２（ｂ）に示すように、ＩＰアドレスの特定の文字「−」の前後にある数値が「１」と「２０」である場合には、受付けたＩＰアドレスは、そのＩＰアドレスにおいて、特定の文字「−」及びその前後の数値が「１」乃至「２０」とされた複数のＩＰアドレス、つまり、「１９２．１６８．１．１」乃至「１９２．１６８．１．２０」の２０個のＩＰアドレスとみなされる。
【００２７】
また、一般的にＩＰアドレスは、ネットワークアドレスとホストアドレスから構成されるが、通信装置１は、受付けたＩＰアドレスを解析し、そのＩＰアドレスがサブネットマスクに基づいて特定されるホストアドレスに該当する場合に、受付けたＩＰアドレスがネットワークアドレス（及びサブネットアドレス）を除いたホストアドレスのみからなるものであると判断し、省略されているネットワークアドレス（及びサブネットアドレス）を自装置１のものと同一であるとみなして、受付けたＩＰアドレス（ネットワークアドレスが省略されたもの）の正規のＩＰアドレスを特定し、該正規のＩＰアドレスに対して送信を行う機能を有する。
【００２８】
具体的には、図２（ｃ）に示すように、通信装置１は、受付けたＩＰアドレスが「１５」のみである場合は、自装置１が設置されるネットワークのサブネットマスク、例えば「２５５．２５５．２５５．０」から特定されるホストアドレスの範囲「１」乃至「２５５」に、受付けたＩＰアドレス「１５」が含まれると、当該受付けたＩＰアドレス「１５」をホストアドレスのみからなるＩＰアドレスであると判断し、省略されているネットワークアドレスを自装置１のネットワークアドレス「１９２．１６８．０．」と同一であるとみなし、受付けたＩＰアドレス「１５」の正規のＩＰアドレスを「１９２．１６８．０．１５」とみなす処理を行う。仮に、サブネットマスクが「２５５．２５５．２５５．２４０」であれば、ホストアドレスの範囲は「１」乃至「１４」となるため、受付けたＩＰアドレスがその範囲内のものである場合に、ホストアドレスのみからなるＩＰアドレスであると判断される。なお、上記サブネットマスク及び自装置のＩＰアドレス（ネットワークアドレス）の情報Ｘは予めＲＡＭ３に登録されており、上記判断に際して参照されるようになっている。
【００２９】
また、図２（ｄ）に示すように、通信装置１は、受付けたＩＰアドレスがホストアドレスのみであって、その中に特定の文字「−」が含まれる場合は、そのホストアドレスは、特定の文字「−」及びその前後の数値が、これら前後の数値の範囲にある数値とされた、複数のホストアドレスであるとみなす処理を行う。そして、何れの省略されているネットワークアドレスも自装置１のネットワークと同一であるとみなして、受付けたＩＰアドレス「１−２０」の正規のＩＰアドレスを「１９２．１６８．１．１」乃至「１９２．１６８．１．２０」の２０個のＩＰアドレスとみなす処理を行う。
【００３０】
また、図示しないが、通信装置１は、受付けたＩＰアドレスがホストアドレスのみであって、それが特定の文字「＊」である場合は、そのホストアドレスは特定の文字「＊」を１乃至２５５とした２５５個のホストアドレスであると判断する。そして、何れの省略されているネットワークアドレスも自装置１のネットワークと同一であるとみなして、受付けたＩＰアドレス「＊」の正規のＩＰアドレスを「１９２．１６８．１．１」乃至「１９２．１６８．１．２５５」の２５５個のＩＰアドレスとみなす処理を行う。
【００３１】
以下、かかるＩＰアドレスの簡易入力機能を備えた通信装置１においてＩＰアドレスの入力があった場合に実行される処理動作について、図３及び図４に示すフローチャートに基づいて説明する。なお、このフローチャートに基づいて説明する通信装置１の処理動作は、ＲＯＭ４に格納されている制御プログラムに基づいてＣＰＵ２が発行する命令に従って行われる。
【００３２】
オペレータにより、読取部８に原稿がセットされ、ＩＰアドレス及び使用する通信プロトコルが操作部１１から入力指定されると、通信装置１はこれを送信先の宛先情報として受付ける（Ｓ１）。そして操作部１１のスタートキーが押下される等の送信開始命令があると（Ｓ２）、受付けたＩＰアドレスを解析して（Ｓ３）、受付けたＩＰアドレスに「＊」又は「−」が含まれている場合及びネットワークアドレスが省略されている場合には、受付けたＩＰアドレスが簡易入力機能によるＩＰアドレスであると判断し、それ以外の場合は、通常のＩＰアドレスであると判断する。
【００３３】
受付けたＩＰアドレスが通常のＩＰアドレスであると判断した場合は（Ｓ４：ＹＥＳ）、そのＩＰアドレスを送信相手先とする送信処理を実行する。つまり、読取部８にセットされた原稿の画データを読み取って、前記Ｓ１で受付けた通信プロトコルに従った送信処理を当該ＩＰアドレスの相手先に対して実行する（Ｓ５）。
【００３４】
一方、前記Ｓ４において、受付けたＩＰアドレスが通常のＩＰアドレスではないと判断した場合は（Ｓ４：ＮＯ）、受付けたＩＰアドレスに含まれる特定の文字に基づいて複数のＩＰアドレスを決定する処理を行う（Ｓ６）。
【００３５】
詳細には、図４に示すように、通信装置１は、まず最初に、受付けたＩＰアドレスのネットワークアドレスが省略されているか否かを判断する（Ｓ５１）。すなわち、通信装置１は、サブネットマスクに基づいて、受付けたＩＰアドレスのネットワークアドレスに相当する部分が省略され、ホストアドレス部分のみで構成されている場合に、ネットワークアドレスが省略されていると判断する。
【００３６】
ネットワークアドレスが省略されていると判断した場合は（Ｓ５１：ＹＥＳ）、当該ホストアドレスが特定の文字「＊」であるか否かを判断する（Ｓ５２）。当該ホストアドレスが「＊」である場合には、「＊」を１乃至２５５の数値とみなし、２５５個のホストアドレスの各々に、自装置１のネットワークアドレスを組み合わせてなる２５５個のＩＰアドレスを同報宛先とみなしてこれらをＲＡＭ３に一時的に記憶する（Ｓ５３）。
【００３７】
前記Ｓ５２において、当該ホストアドレスが特定の文字「＊」ではないと判断したときは（Ｓ５２：ＮＯ）、当該ホストアドレスの中に特定の文字「−」が含まれているか否かを判断する。当該ホストアドレスに特定の文字「−」が含まれる場合には（Ｓ５４：ＹＥＳ）、特定の文字「−」及びその前後の数値が、これら前後の数値の範囲にある数値とされた、複数のホストアドレスであるとみなすとともに、これら複数のホストアドレスの各々に、自装置１のネットワークアドレスを組み合わせてなる複数個のＩＰアドレスを同報宛先とみなしてこれらをＲＡＭ３に一時的に記憶する（Ｓ５５）。
【００３８】
一方、当該ホストアドレスに特定の文字「−」が含まれない場合には（Ｓ５４：ＮＯ）、そのホストアドレスと自装置１のネットワークアドレスを組み合わせてなる１個のＩＰアドレスを宛先とみなしてこれをＲＡＭ３に一時的に記憶する（Ｓ５６）。
【００３９】
一方、前記Ｓ５１において、ネットワークアドレスが省略されていないと判断した場合は（Ｓ５１：ＮＯ）、当該ＩＰアドレスの中に特定の文字「＊」が含まれているか否かを判断する（Ｓ５７）。当該ＩＰアドレスに特定の文字「＊」が含まれる場合には、受付けたＩＰアドレスにおいて、特定の文字「＊」を１乃至２５５とした２５５個のＩＰアドレスを同報宛先とみなしてこれらをＲＡＭ３に一時的に記憶する（Ｓ５８）。
【００４０】
前記Ｓ５７において、特定の文字「＊」が当該ＩＰアドレスの中に含まれていないと判断したときは（Ｓ５７：ＮＯ）、特定の文字「−」が当該ＩＰアドレスの中に含まれていると判断して、受付けたＩＰアドレスにおいて、特定の文字「−」及びその前後の数値を、これら前後の数値の範囲にある数値とした、複数個のＩＰアドレスを同報宛先とみなしてこれらをＲＡＭ３に一時的に記憶す（Ｓ５９）。
【００４１】
上記の一連の処理（Ｓ５１乃至Ｓ５９）により同報宛先（又は１の宛先）とみなされ記憶された複数（又は１）のＩＰアドレスは、さらに、ＲＡＭ３に格納されている除外ＩＰアドレスリスト２０と照合され、該リスト２０に登録されているＩＰアドレス（前回の送信処理時に登録されたＩＰアドレス、前記した特殊ＩＰアドレス等）と同一のものが、前記同報宛先（又は１の宛先）とみなされてＲＡＭ３に記憶されているＩＰアドレスから除かれる（Ｓ７）。そして、除かれた後にＩＰアドレスが１個でも残っていれば（Ｓ８：ＹＥＳ）、残ったＩＰアドレスを同報送信宛先（残ったＩＰアドレスが１個の場合は単独送信宛先となる。）とする送信処理が実行される（Ｓ９）。すなわち、通信装置１は読取部８にセットされた原稿の画データを読み取って、前記Ｓ１で受付けた通信プロトコルに従った送信処理を当該ＩＰアドレスの相手先に対して実行する。一方、除外ＩＰアドレスリスト２０に従って除かれた後にＩＰアドレスが残っていなければ（Ｓ８：ＮＯ）、送信処理は行われず一連の処理動作を終了する。
【００４２】
次いで、前記Ｓ９の送信処理にエラーが発生することなく無事に完了した場合は（Ｓ１０：ＮＯ）、一連の送信処理動作を終了する。一方、接続できずにエラーが発生した場合は（Ｓ１０：ＹＥＳ）、以下のエラー発生時の処理を実行する（Ｓ１１）。
【００４３】
すなわち、図５のフローチャートに示すように、最初に、チェックメッセージ表示処理が有効か否かをＲＡＭ３に予め設定されている設定情報に基づいて判断する。チェックメッセージ表示処理が有効な場合は（Ｓ１０１：ＹＥＳ）、例えば図６に示すようなチェックメッセージ画面２１を表示部１０に表示する。このチェックメッセージ画面２１は、図示するように送信に失敗したＩＰアドレスを表示するとともに、その後行うべき処理をオペレータの選択指定により受付けるものである。選択指定は、操作部１１の操作によりカーソル２２を配置することにより行われ、「再送信」が選択指定されると、送信に失敗したＩＰアドレスに対する再送信処理が行われ、「除外ＩＰアドレスリストに登録」が選択されると、再送信を行わずに送信に失敗したＩＰアドレスを除外ＩＰアドレスリスト２０に登録する処理が行われる。また、「処理を行わずに終了する」が選択指定されると、何も処理を行わずに終了するようになっている。
【００４４】
チェックメッセージ画面２１において、「再送信」が選択指定された場合は（Ｓ１０３、Ｓ１０４：再送信）、送信に失敗したＩＰアドレスに対する再送信処理が行われ（Ｓ１０５）、再送信に失敗した場合には（Ｓ１０６：ＮＯ）、前記Ｓ１０１に移行して上記した処理を繰返し実行する。一方、再送信に成功した場合は（Ｓ１０６：ＹＥＳ）、一連の処理を終了する。
【００４５】
チェックメッセージ画面２１において、「除外ＩＰアドレスリストに登録」が選択指定された場合は（Ｓ１０３、Ｓ１０４：リスト登録）、エラーの発生した（送信に失敗した）相手先ＩＰアドレスを除外ＩＰアドレスリスト２０に登録し（Ｓ１０９）、一連の処理を終了する。このことによって、使用されていないＩＰアドレスが次回から自動的に除かれるので、オペレータが予め使用されていないＩＰアドレスを除外ＩＰアドレスリスト２０に書き込む労力が省かれる。また、次回から同報送信処理の時間が短縮されるという利点もある。
【００４６】
チェックメッセージ画面２１において、「処理を行わずに終了する」が選択指定された場合は（Ｓ１０３、Ｓ１０４：処理せず）、何も処理を行わずに一連の処理を終了する。
【００４７】
一方、前記Ｓ１０１において、チェックメッセージ表示処理の設定が無効になっていると判断した場合は（Ｓ１０１：ＮＯ）、送信に失敗したＩＰアドレスに対して自動的に再送信する処理の設定の有効無効を判断し、当該再送信処理が有効になっている場合は（Ｓ１０７：ＹＥＳ）、前記Ｓ１０５へ移行して、前記した一連の処理が行われる。一方、当該再送信処理の設定が無効になっている場合は（Ｓ１０７：ＮＯ）、除外ＩＰアドレスリストに送信に失敗したＩＰアドレスを自動的に追加登録する処理の設定の有効無効を判断し、当該処理が有効になっている場合は（Ｓ１０８：ＹＥＳ）、前記Ｓ１０９の処理、つまり、エラーの発生した相手先ＩＰアドレスを除外ＩＰアドレスリスト２０に登録する処理を行う。
【００４８】
なお、前記除外ＩＰアドレスリスト２０に登録されるＩＰアドレスは、操作部１１やクライアントＰＣ１６からの所定操作により自由に追加及び削除が可能である。したがって、ＩＰアドレス簡易入力機能により同報送信を行ったときに、宛先となったＩＰアドレスが実際に使用されているにもかかわらず、たまたま通信エラーが発生して除外ＩＰアドレスリスト２０に登録されてしまった場合には、オペレータは、登録されてしまった当該ＩＰアドレスを削除することができる。
【００４９】
以上の説明から明らかなように、本実施の形態に係る通信装置１によれば、特定の文字「＊」又は「−」を含めたＩＰアドレスを入力することで、多数のＩＰアドレスを一度に指定することが可能であり、ＩＰアドレスの入力操作が大幅に簡素化される。また、通信装置１と同じネットワークに設置されている他の通信装置をＩＰアドレスにより送信先として指定する場合には、ネットワークアドレスを省略したホストアドレスのみを入力するだけで指定することができるので、このことによっても入力操作が大幅に簡素化される。さらにまた、上記したように、ネットワークアドレスを省略してホストアドレスに特定の文字を使用することも可能であるので、これにより更に入力操作が簡素化される。
【００５０】
本実施の形態においては、操作部１１の操作により読取部８にセットした原稿を送信する場合を例に挙げて説明したが、通信装置１が各種の通信サーバとして機能する場合も、前記Ｓ１において受付けるＩＰアドレスや読取部８において読み取る画データをクライアントＰＣ１６から受信する点を除いて、同様の処理動作が実行される。また、当然ながら、特定の文字としては、上記した「＊」、「−」以外のものであってもよい。
【００５１】
【発明の効果】
請求項１記載の通信装置によれば、特定の文字を含めたＩＰアドレスを入力することで、多数のＩＰアドレスを一度に指定することが可能であり、ＩＰアドレスの入力操作が大幅に簡素化される。
【００５２】
請求項２記載の通信装置によれば、例えば１のネットワークにある通信装置全てを同報送信先として指定する場合に便利である。
【００５３】
請求項３記載の通信装置によれば、例えばＩＰアドレスが隣接する同報送信先を指定する場合に便利である。
【００５４】
請求項４記載の通信装置によれば、自装置と同じネットワークに設置されている他の通信装置をＩＰアドレスにより送信先として指定する場合に、ホストアドレスのみを入力するだけで指定することができるので、入力操作が大幅に簡素化される。
【００５５】
請求項５記載の通信装置によれば、使用されていないＩＰアドレスが次回から自動的に除かれるので、オペレータが予め使用されていないＩＰアドレスを除外ＩＰアドレスリストに書き込む労力が省かれる。また、次回から同報送信処理の時間が短縮されるという利点もある。
【００５６】
請求項６記載の通信装置によれば、一般に通信装置のＩＰアドレスとして登録することができない特殊ＩＰアドレスに対する送信処理の実行を未然に防止して、通信処理の効率化を図ることができる。
【００５７】
請求項７記載の通信装置によれば、エラー発生時にオペレータの意図に即した処理を行わせることが可能となる。
【図面の簡単な説明】
【図１】本発明の実施の形態に係る通信装置の構成例及び該通信装置が設置されるネットワークの構成例を示した図である。
【図２】本発明の実施の形態に係る通信装置が特定の文字に基づいて複数のＩＰアドレスを決定する場合の例を示した説明図である。
【図３】本発明の実施の形態に係る通信装置が実行する処理動作を示したフローチャートである。
【図４】本発明の実施の形態に係る通信装置が実行する処理動作を示したフローチャートである。
【図５】本発明の実施の形態に係る通信装置が実行する処理動作を示したフローチャートである。
【図６】チェックメッセージ画面の一例を示した図である。
【符号の説明】
１  通信装置
２  ＣＰＵ
３  ＲＡＭ
４  ＲＯＭ
２０  除外ＩＰアドレスリスト
【図１】
2005033445.tif 000003
【図２】
2005033445.tif 000004
【図３】
2005033445.tif 000005
【図４】
2005033445.tif 000006
【図５】
2005033445.tif 000007
【図６】
2005033445.tif 000008